(57)【特許請求の範囲】
【請求項１】
床面上で、横長に延設された被連結什器に対して連結什器を連結させる什器の連結構造であって、
前記連結什器と対向する前記被連結什器の被連結面に長手方向に沿って延設され、内部に被連結側挿通孔が長手方向に沿って複数形成された取付用溝と、
前記被連結什器に向かって突出して先端部が前記取付用溝に挿入されるように前記連結什器に設けられ、前記先端部に連結側挿通孔が形成された少なくとも一つの連結片とを備え、
該連結片が、前記連結側挿通孔を前記取付用溝の前記被連結側挿通孔のいずれかに連通させて、互いに挿通された締結ボルトによって前記取付用溝の内部で締結されていることを特徴とする什器の連結構造。
【請求項２】
請求項１に記載の什器の連結構造において、
前記被連結側挿通孔は、長手方向に延びる長孔であることを特徴とする什器の連結構造。
【請求項３】
請求項２に記載の什器の連結構造において、
前記連結側挿通孔は、長手方向に二つ設けられていることを特徴とする什器の連結構造。
【請求項４】
請求項３に記載の什器の連結構造において、
前記被連結側挿通孔同士の間の離間寸法が、前記連結側挿通孔同士の間の離間寸法以下に設定されているとともに、前記被連結側挿通孔の長手方向の開口寸法が前記連結側挿通孔同士の間の離間寸法と二つの連結側挿通孔の径寸法との和以上に設定されていることを特徴とする什器の連結構造。
【請求項５】
請求項１から請求項４のいずれかに記載の什器の連結構造において、
前記被連結側挿通孔は、前記取付用溝を構成する内面の内、下向きの面に形成されていることを特徴とする什器の連結構造。
【請求項６】
請求項１から請求項４のいずれかに什器の連結構造において、
前記被連結側挿通孔は、前記取付用溝を構成する内面の内、下向きかつ外向きに傾斜した面に形成されていることを特徴とする什器の連結構造。
【請求項７】
請求項１から請求項６のいずれかに什器の連結構造において、
前記被連結什器は、略箱状で、前記取付用溝を有する前記被連結面を対向させて対をなして有しており、該被連結面間に前記締結ボルトの締結作業を実施可能な連結作業用空間が形成されていることを特徴とする什器の連結構造。
【請求項８】
請求項１から請求項７のいずれかに什器の連結構造において、
前記連結片は、前記連結什器に対して着脱可能に設けられていることを特徴とする什器の連結構造。
【請求項９】
請求項８に記載の什器の連結構造において、
前記連結什器は、異なる複数の側面に前記連結片を取付可能であることを特徴とする什器の連結構造。
【請求項１０】
請求項１から請求項９に記載の什器の連結構造において、
前記連結什器がデスクであるとともに、前記被連結什器が配線ダクトであることを特徴とする什器の連結構造。
【発明の詳細な説明】
【技術分野】
【０００１】
本発明は、オフィスなどの執務空間において使用される什器の連結構造に関する。
【背景技術】
【０００２】
オフィスなどの執務空間にて複数の什器を使用する場合では、転倒防止など什器同士の安定性を確保する目的や、什器同士を的確な位置に配置して使い勝手を良好なものとする目的で、什器同士を連結して使用することが良く行われている。例えば、オフィス内で電源ケーブルやＬＡＮケーブルなどの配線を配設して電気製品を使用する場合には、什器として、配線を収納状態で所定位置に配設する配線ダクトと、電気製品を設置する机などとを使用し、配線ダクトに対して机を連結して使用する。
【０００３】
このような連結構造としては、より具体的には、配線ダクトに対して机を直接あるいは連結金具を介して、締結ボルトによって連結する。また、連結金具によって連結する構造としては、配線ダクトを机の長さと対応させて分割した構造とし、机の側面と配線ダクトの端面とに連結金具を取り付けて連結するものが提案されている（例えば、特許文献１参照）。
【特許文献１】特開平１１−２８９６４１号公報
【発明の開示】
【発明が解決しようとする課題】
【０００４】
しかしながら、特許文献１の連結構造によれば、連結した状態では、連結金具及び締結ボルトが露出してしまい、体裁が悪いという問題があった。また、被連結什器である配線ダクトに対して、連結什器となる机は、決められた位置だけでしか連結できない。被連結什器に対する連結什器の固定位置を自在に調整するには、被連結什器に連結金具または締結ボルトを接続する部材を、固定可能範囲に予め多数設けておく必要があるが、この場合体裁がさらに悪化してしまうという問題があった。
【０００５】
この発明は、上述した事情に鑑みてなされたものであって、横長の被連結什器に対して連結什器を、連結するための部材の露出を抑えつつ所望の連結位置に自在に連結することが可能な什器の連結構造を提供するものである。
【課題を解決するための手段】
【０００６】
上記課題を解決するために、この発明は以下の手段を提案している。
本発明は、床面上で、横長に延設された被連結什器に対して連結什器を連結させる什器の連結構造であって、前記連結什器と対向する前記被連結什器の被連結面に長手方向に沿って延設され、内部に被連結側挿通孔が長手方向に沿って複数形成された取付用溝と、前記被連結什器に向かって突出して先端部が前記取付用溝に挿入されるように前記連結什器に設けられ、前記先端部に連結側挿通孔が形成された少なくとも一つの連結片とを備え、該連結片が、前記連結側挿通孔を前記取付用溝の前記被連結側挿通孔のいずれかに連通させて、互いに挿通された締結ボルトによって前記取付用溝の内部で締結されていることを特徴としている。
【０００７】
この発明に係る什器の連結構造によれば、被連結什器において取付用溝の内部で長手方向に複数形成された被連結側挿通孔のいずれを選択して連結片の連結側挿通孔と連通させ締結ボルトで締結するかによって、被連結什器に対する連結什器の長手方向の位置を自在に変化させて連結することができる。また、連結した状態では、連結什器の連結片は先端部が取付用溝に挿入されて、取付用溝の内部で締結されることとなり、連結部分の露出を抑えることができる。さらに、被連結什器において、連結什器が連結されていない部分でも、連結什器を取り付ける被連結側挿通孔が取付用溝の内部であるため、被連結側挿通孔の露出を抑えることができる。
【０００８】
また、上記の什器の連結構造において、前記被連結側挿通孔は、長手方向に延びる長孔であることがより好ましいとされている。
この発明に係る什器の連結構造によれば、被連結側挿通孔が長手方向に延びる長孔であることで、より自在に被連結側挿通孔と連結側挿通孔とが連通するように位置を合わせて、長手方向に位置を変化させて被連結什器と連結什器とを連結することができる。
【０００９】
また、上記の什器の連結構造において、前記連結側挿通孔は、長手方向に二つ設けられていることがより好ましいとされている。
この発明に係る什器の連結構造によれば、連結側挿通孔が長手方向に二つ設けられていることで、いずれかの連結側挿通孔を自由に選択して被連結側挿通孔と連通させることができ、これにより、より自在に長手方向の位置を変化させて被連結什器に連結什器を連結することができる。
【００１０】
また、上記の什器の連結構造において、前記被連結側挿通孔同士の間の離間寸法が、前記連結側挿通孔同士の間の離間寸法以下に設定されているとともに、前記被連結側挿通孔の長手方向の開口寸法が前記連結側挿通孔同士の間の離間寸法と二つの連結側挿通孔の径寸法との和以上に設定されていることがより好ましいとされている。
【００１１】
この発明に係る什器の連結構造によれば、連結側挿通孔の径寸法及び離間寸法、並びに、被連結側挿通孔の長手方向の開口寸法及び離間寸法が上記のように設定されていることで、被連結側什器に対して長手方向のいずれの位置に連結什器を配置したとしても、必ずいずれかの連結挿通孔が被連結挿通孔に連通し、締結ボルトで締結することができる。
【００１２】
また、上記の什器の連結構造において、前記被連結側挿通孔は、前記取付用溝を構成する内面の内、下向きの面に形成されていることがより好ましいとされている。
この発明に係る什器の連結構造によれば、被連結側挿通孔が取付用溝の内面の内の下向きの面に形成されていることで、被連結什器において、連結什器が連結されていない部分で、被連結側挿通孔をより視認しづらくすることができ、体裁を良好なものとすることができる。
【００１３】
また、上記の什器の連結構造において、前記被連結側挿通孔は、前記取付用溝を構成する内面の内、下向きかつ外向きに傾斜した面に形成されていることがより好ましいとされている。
この発明に係る什器の連結構造によれば、被連結側挿通孔が取付用溝の内面の内、下向きかつ外向きに傾斜した面に形成されていることで、被連結側挿通孔を視認しづらくすることができる。また、長手方向の位置を決定して連結片を取付用溝の内面に当接するまで挿入するのみで、連結側挿通孔と被連結側挿通孔とを位置合わせすることができる。
【００１４】
また、上記の什器の連結構造において、前記被連結什器は、略箱状で、前記取付用溝を有する前記被連結面を対向させて対をなして有しており、該被連結面間に前記締結ボルトの締結作業を実施可能な連結作業用空間が形成されていることがより好ましいとされている。
【００１５】
この発明に係る什器の連結構造によれば、取付用溝を有する被連結面が対向して対をなしていることで、被連結什器に対して両側で連結什器を連結することができる。また、その際に被連結什器が略箱状で被連結面間を連結作業用空間としていることで、内部から連結作業を行うことができる。
【００１６】
また、上記の什器の連結構造において、前記連結片は、前記連結什器に対して着脱可能に設けられていることがより好ましいとされている。
この発明に係る什器の連結構造によれば、連結片が着脱可能であることで、連結什器を被連結什器から取り外して使用する場合など、連結片が露出してしまう場合には取り外して体裁を良好なものとすることができる。
【００１７】
また、上記の什器の連結構造において、前記連結什器は、異なる複数の側面に前記連結片を取り付け可能であることがより好ましいとされている。
この発明に係る什器の連結構造によれば、複数の側面のいずれかに連結片を取り付けて被連結什器と連結するかによって、連結什器を様々な向きとして被連結什器に連結することができる。
【００１８】
また、上記の什器の連結構造において、前記連結什器がデスクであるとともに、前記被連結什器が配線ダクトであることがより好ましいとされている。
この発明に係る什器の連結構造によれば、被連結什器である配線ダクトに対して、連結什器であるデスクの取り付け位置を自在に変更することができ、オフィス等におけるレイアウトの自由度を向上させることができる。また、デスク上に載置して使用される電子機器等の配線を配線ダクト内に収容させ、デスク周辺を、配線が露出してしまうこと無く、体裁良くすることができる。
【発明の効果】
【００１９】
本発明の什器の連結構造によれば、被連結什器が複数の被連結側挿通孔を有する取付用溝を備え、連結什器が連結側挿通孔を有する連結片を備えることで、横長の被連結什器に対して連結什器を、連結片や締結ボルトなど連結するための部材の露出を抑えつつ所望の連結位置に自在に連結することができる。
【発明を実施するための最良の形態】
【００２０】
図１から図６は、この発明に係る実施形態を示している。図１及び図２に示すように、連結体１は、被連結什器である配線ダクト１０と連結什器である複数のデスク２０、３０とで構成され、配線ダクト１０と複数のデスク２０、３０とのそれぞれは、本実施形態の連結構造４０によって互いに連結されている。連結什器として使用されるデスク２０、３０としては、様々な形状及び構造のものが適用可能であり、本実施形態では大きさの異なる二種類のデスク２０、３０について説明している。ここで、デスク２０、３０は、構造としては同じものであるので、一方のデスク２０のみについて構造を説明する。
【００２１】
図１から図３に示すように、デスク２０は、略板状の天板２１と、天板２１を床Ｆに対して支持する脚体２２と、脚体２２同士を連結した断面略矩形筒状の連結杆２３とで構成されている。脚体２２は、天板２１に対して左右一対設けられており、床Ｆに対して略水平に配設された床支持部２４と、床支持部２４の端部から立設された脚本体部２５と、脚本体部２５の上端から略水平に配設されて天板２１を支持する天板支持部２６とを有し、略コノ字形に形成されている。図２及び図３に示すように、デスク２０の側部となる脚体２２の上端後部側には、略矩形の凹部２２ａが形成され、凹部２２ａ内には後述する第一の連結片４１を固定ボルト４１ｅで固定可能に第一のネジ穴２２ｂが設けられている。一方、脚体２２の上端前部側には、第一の連結片４１の係合凸部４１ｃを挿入、係合可能に係合凹部２２ｃが形成されている。ここで、図１に示すように、凹部２２ａ及び係合凹部２２ｃは、第一の連結片４１を接続しない時には略板状のキャップ２２ｄ、２２ｅで覆われている。キャップ２２ｄ、２２ｅは、例えばゴム材など形成されていて、着脱可能となっている。
【００２２】
また、図２及び図３に示すように、デスク２０の後部となる連結杆２３にも後述する第二の連結片４２を接続可能に第二のネジ穴２３ａが設けられている。第二のネジ穴２３ａは、第二の連結片４２を対をなして接続可能に、連結杆２３上において左右二箇所に設けられている。この第二のネジ穴２３ａも、第二の連結片４２を連結しない時には、図示しない略円柱状のキャップで覆われている。
【００２３】
また、図１に示すように、配線ダクト１０は、横長に延設されていて、電源ケーブルや通信ケーブル等を内部に収容し配設するものであり、本実施形態では複数のユニット１０ａを一体に連結することによって構成されている。各ユニット１０ａは、略箱状で長手方向Ｘに延設されたダクト本体部１１と、ダクト本体部１１を床Ｆに対して支持する脚部１２とを有する。図４に示すように、ダクト本体部１１の上面には、蓋１３で閉塞された開口部１１ａが形成されており、蓋１３を取り外すことによって内部で後述する締結作業を行うことが可能な連結作業用空間１４が形成されている。ここで、ダクト本体部１１の互いに対向する両側面は、デスク２０と対向して連結されることとなる被連結面１１ｂとなり、各被連結面１１ｂには、長手方向Ｘに沿って取付用溝１５が延設されている。取付用溝１５の内部には、連結作業用空間１４と連通する被連結側挿通孔１６が形成されている。より詳しくは、取付用溝１５は、略水平である下向きの上面１５ａ及び上向きの下面１５ｂと、略鉛直である外向きの底面１５ｃと、上面１５ａと底面１５ｃとの間に形成され、下向きかつ外向きの傾斜面１５ｄとを有し、被連結側挿通孔１６は、傾斜面１５ｄに形成されている。図５及び図６に示すように、被連結側挿通孔１６は、長手方向Ｘに延びる長孔であり、長手方向Ｘに一定の離間寸法Ｂ１６をもって複数形成されている。
【００２４】
そして、配線ダクト１０と、デスク２０とは、この被連結側挿通孔１６を有する取付用溝１５と、デスク２０に着脱可能に取付られる第一の連結片４１または第二の連結片４２とによって連結されていて、すなわち、取付用溝１５と第一の連結片４１または第二の連結片４２とによって連結構造４０が構成されている。
【００２５】
図３に示すように、第一の連結片４１は、デスク２０の側部側で配線ダクト１０と連結する場合に使用されるもので、デスク２０側に取り付けられる略板状の固定部４１ａと、固定部４１ａから折り曲げられて突出し、取付用溝１５に挿入された状態で配線ダクト１０側に取り付けられる略板状の連結部４１ｂとを有する。固定部４１ａの一端側には、デスク２０の係合凹部２２ｃに挿入し、係合可能な係合凸部４１ｃが設けられ、他端側には係合凹部２２ｃと係合凸部４１ｃとが互いに係合した状態で、デスク２０の第一のネジ穴２２ｂと連通する貫通孔４１ｄが形成されている。そして、第一の連結片４１は、係合凸部４１ｃを係合凹部２２ｃに係合させつつ、貫通孔４１ｄに挿通させた固定ボルト４１ｅを第一のネジ穴２２ｂに螺合させることでデスク２０に固定することができる。また、第一の連結片４１の連結部４１ｂは、固定部４１ａがデスク２０に固定された状態で、固定部４１ａと接続する基端部が取付用溝１５の上面１５ａと対応して略水平に配設されるとともに、突出した先端部が取付用溝１５の傾斜面１５ｄと対応して折り曲げられている。そして、デスク２０に固定された状態で先端部の前部側及び後部側となるそれぞれの箇所で、二つ一組の連結側挿通孔４３が形成されている。連結側挿通孔４３には雌ネジが形成されている。そして、図４に示すように、デスク２０に固定された第一の連結片４１の連結部４１ｂを取付用溝１５に挿入した状態では、取付用溝１５の上面１５ａ及び傾斜面１５ｄに密着し、連結部４１ｂに形成された連結側挿通孔４３は、取付用溝１５の傾斜面１５ｄに形成されたいずれかの被連結側挿通孔１６と連通させることが可能である。そして、被連結側挿通孔１６に挿通させた締結ボルト４４を連結側挿通孔４３に螺合させれば、配線ダクト１０とデスク２０とは、第一の連結片４１を介して連結されることとなる。
【００２６】
ここで、図６に示すように、被連結側挿通孔１６同士の間の離間寸法Ｂ１６は、連結側挿通孔４３同士の間の離間寸法Ｂ４３以下に設定されている。このため、第一の連結片４１の連結側挿通孔４３の組の中心が隣り合う被連結側挿通孔１６の間に位置するとしても、二つの内の少なくともいずれかの連結側挿通孔４３が被連結側挿通孔１６と連通し、締結ボルト４４で締結することが可能となっている。また、被連結側挿通孔１６の長手方向Ｘの開口寸法Ｄ１６は、連結側挿通孔４３同士の間の離間寸法Ｂ４３と二つの連結側挿通孔４３の径寸法Ｄ４３との和Ｗ４３以上に設定されている。このため、第一の連結片４１の連結側挿通孔４３の組の中心がいずれかの被連結側挿通孔１６の中心付近に位置したとしても、二つの内の少なくともいずれかの連結側挿通孔４３が対応する被連結側挿通孔１６と連通し、締結ボルト４４で締結することが可能となっている。
【００２７】
また、図３に示すように、第二の連結片４２は、デスク２０の後部側で配線ダクト１０と連結する場合に使用されるもので、二つ一組となってそれぞれ連結杆２３に固定されて使用される。各第二の連結片４２は、同様に、デスク２０側の連結杆２３に固定される略板状の固定部４２ａと、固定部４２ａから折り曲げられて突出し、取付用溝１５に挿入された状態で配線ダクト１０側に取り付けられる略板状の連結部４２ｂとを有する。また、固定部４２ａと連結部４２ｂとの間にはそれぞれに略直交するように略板状の部材である控え部４２ｃが溶接などによって接合されて、補強されている。固定部４２ａには、連結杆２３に形成された第二のネジ穴２３ａと連通する貫通孔４２ｄが形成されていて、貫通孔４２ｄに挿通された固定ボルト４２ｅを第二のネジ穴２３ａに螺合させることでデスク２０に固定することができる。また、第二の連結片４２の連結部４２ｂは、固定部４２ａがデスク２０に固定された状態で、固定部４２ａと接続する基端部が取付用溝１５の上面１５ａと対応して略水平に配設されるとともに、突出した先端部が取付用溝１５の傾斜面１５ｄと対応して折り曲げられている。そして、先端部には、二つ一組の連結側挿通孔４５が形成されている。連結側挿通孔４５には雌ネジが形成されている。
【００２８】
そして、図４に示すように、同様に、デスク２０に固定された第二の連結片４２の連結部４２ｂを取付用溝１５に挿入した状態では、取付用溝１５の上面１５ａ及び傾斜面１５ｄに密着し、傾斜面１５ｄに形成された連結側挿通孔４５は、取付用溝１５の傾斜面１５ｄに形成されたいずれかの被連結側挿通孔１６と連通させることが可能である。そして、被連結側挿通孔１６に挿通させた締結ボルト４６を連結側挿通孔４５に螺合させれば、配線ダクト１０とデスク２０とは、第二の連結片４２を介して連結されることとなる。ここで、図６に示すように、第二の連結片４２の連結側挿通孔４５の離間寸法Ｂ４５並びに二つの連結側挿通孔４５の径寸法Ｄ４５と離間寸法Ｂ４５の和Ｗ４５も、被連結側挿通孔１６の長手方向Ｘの開口寸法Ｄ１６及び離間寸法Ｂ１６と、第一の連結片４１同様の関係を有していて、いずれかの連結側挿通孔４５がいずれかの被連結側挿通孔１６と連通し、締結ボルト４６で締結することが可能となっている。
【００２９】
次に、配線ダクト１０とデスク２０とを連結する作業手順の詳細について説明する。まず、図３に示すように、配線ダクト１０に連結するためのデスク２０を用意する。ここで、本実施形態のデスク２０は、配線ダクト１０と連結するための連結片が着脱可能とされており、非連結時は取り外されて、固定するための第一のネジ穴２２ｂ及び第二のネジ穴２３ａも前述したキャップに覆われているので、単体としても体裁良く使用できるものである。
【００３０】
そして、図３に示すように、用意したデスク２０に連結片を固定する。この際、デスク２０では、側部側に設けられた第一のネジ穴２２ｂと、後部側に設けられた第二のネジ穴２３ａと、連結片を固定可能なネジ穴が複数の側面に設けられていることで、いずれを選択して配線ダクト１０と連結するかによって、配線ダクト１０に対するデスク２０の向きを様々として連結することができる。ここでは、例えば、第二のネジ穴２３ａを選択して、デスク２０の後部側で配線ダクト１０と連結するものとする。このため、対応する第二の連結片４２を連結杆２３に設けられた二組の第二のネジ穴２３ａのそれぞれに固定させる。
【００３１】
次に、図４に示すように、配線ダクト１０において、デスク２０を連結する位置を決定する。ここで、配線ダクト１０は、対向して被連結面１１ｂを有しているので、両側面いずれにもデスク２０を連結することができる。また、被連結面１１ｂには、長手方向Ｘに複数の被連結側挿通孔１６が形成されているので、長手方向Ｘにデスク２０の位置を自在に選択して連結可能である。そして、長手方向Ｘの位置を決定したら、デスク２０の後部側を被連結面１１ｂにつき合わせるようにし、これによりデスク２０に固定された第二の連結片４２の連結部４２ｂは、取付用溝１５に挿入されることとなる。ここで、被連結側挿通孔１６が形成されているのが、取付用溝１５の内部において、外向きの傾斜面１５ｄであり、第二の連結片４２の連結部４２ｂが対応して折り曲げられているので、第二の連結片４２を取付用溝１５の内部に当接するまで挿入するだけで、第二の連結片４２を挿入する方向で、連結側挿通孔４５と被連結側挿通孔１６の位置合わせをすることができる。
【００３２】
また、被連結側挿通孔１６は、長手方向Ｘに延びる長孔であり、また、連結側挿通孔４５は、二つ一組で設けられている。このため、いずれかの連結側挿通孔４５が長手方向Ｘに選択した位置と対応する被連結側挿通孔１６と連通しやすくなる。さらに、連結側挿通孔４５の径寸法及び離間寸法、並びに被連結側挿通孔１６の長手方向Ｘの開口寸法及び離間寸法が上記のように設定されていることで、配線ダクト１０に対するデスク２０の長手方向Ｘの位置がいずれであっても、組をなす連結側挿通孔４５の少なくともいずれか一つは被連結側挿通孔１６と連通することとなる。このため、配線ダクト１０に対してデスク２０の長手方向Ｘの位置を自在に変化させることができる。そして、配線ダクト１０の蓋１３を取り外し、配線ダクト１０内部の連結作業用空間１４において、連通している被連結側挿通孔１６に締結ボルト４６を挿通させて、対応する連結側挿通孔４５に螺合させることで、配線ダクト１０とデスク２０とは締結ボルト４６及び第二の連結片４２を介して連結されることとなる。ここで、被連結側挿通孔１６が取付用溝１５において下向きの傾斜面１５ｄに形成されていることで、連結作業用空間１４から締結ボルト４６を挿通させる際には、開口部１１ａがある上方から挿入させることができ、締結作業を好適に行うことができる。
【００３３】
連結作業が完成すると、図１に示すように、配線ダクト１０とデスク２０との連結は、取付用溝１５の内部でなされているので、連結部分の露出を抑えることができる。さらに、配線ダクト１０において、デスク２０が連結されていない部分でも、被連結側挿通孔１６が取付用溝１５の内部であるため、被連結側挿通孔１６の露出を抑えることができ、全体として体裁を良好なものとすることができる。特に本実施形態では、被連結側挿通孔１６は、取付用溝１５の内部において、下向きの傾斜面１５ｄに形成されていることから、外部から被連結側挿通孔１６をより視認しづらくすることができ、体裁をより良好なものとすることができる。
【００３４】
以上のように、連結体１では、配線ダクト１０に対してデスク２０の取り付け位置を自在に変更することができ、オフィス等におけるレイアウトの自由度を向上させることができる。また、デスク２０上に載置して使用される電子機器等の配線を配線ダクト１０内に収容させ、デスク２０周辺を、配線が露出してしまうこと無く、体裁良くすることができる。
【００３５】
以上、本発明の実施形態について図面を参照して詳述したが、具体的な構成はこの実施形態に限られるものではなく、本発明の要旨を逸脱しない範囲の設計変更等も含まれる。
【００３６】
なお、本実施形態では、被連結什器として配線ダクト、連結什器としてデスクを例に挙げたがこれに限るものでは無く、様々な什器同士を連結する場合において適用可能である。
【図面の簡単な説明】
【００３７】
【図１】本発明の実施形態の連結体の全体を示す斜視図である。
【図２】本発明の実施形態の連結体を構成する配線ダクトとデスクとの分解斜視図である。
【図３】本発明の実施形態のデスクの分解斜視図である。
【図４】本発明の実施形態の配線ダクトとデスクとの連結構造の詳細を示す部分断面図である。
【図５】本発明の実施形態の配線ダクトの下方からの斜視図である。
【図６】図４における切断線Ａ−Ａでの断面図である。
【符号の説明】
【００３８】
１０  配線ダクト（被連結什器）
１１ｂ  被連結面
１４  連結作業用空間
１５  取付用溝
１５ｄ  傾斜面
１６  被連結側挿通孔
２０、３０  テーブル（連結什器）
４０  連結構造
４１  第一の連結片（連結片）
４３  連結側挿通孔
４４  締結ボルト
４２  第二の連結片（連結片）
４５  連結側挿通孔
４６  締結ボルト
Ｂ１６  被連結側挿通孔の離間寸法
Ｄ１６  被連結側挿通孔の長手方向の開口寸法
Ｂ４３、Ｂ４５  連結側挿通孔の離間寸法
Ｄ４３、Ｄ４５  連結側挿通孔の径寸法
Ｗ４３、Ｗ４５  和
Ｆ  床
Ｘ  長手方向
【図１】
0005060917.tif 000002
【図２】
0005060917.tif 000003
【図３】
0005060917.tif 000004
【図４】
0005060917.tif 000005
【図５】
0005060917.tif 000006
【図６】
0005060917.tif 000007